(57)【要約】      （修正有）【課題】薄い紙製シートからなる単票類が郵便受けや玄関ドアの隙間で折れたり、破れたり、行方不明になるのを防止し、また重要な事項を含む各種の情報を需要者に確実に伝えることができる単票類の収容ホルダーを提供する。【解決手段】長方形の紙からなる上側シート２と、横幅を上側シート２より長く設定した下側シート３は一側の縦辺２Ａ、３Ａ同士と横辺２Ｂ、３Ｂ同士を貼着することにより、略Ｌ字状の閉塞部６を一側に形成し、対向する他側は開放している。上側シート２から横方向に張出す下側シート３の縁は単票類を差し込む際の差込ガイド片７になっている。上側シート２には閉塞部６の上側に沿って裂開用ミシン目１１が形成してある。上側シート２は、上面である外側面２Ｃが重要事項表示部８になっている。【選択図】図１
0003111530.tif 000002
【実用新案登録請求の範囲】
【請求項１】
上側シートと、該上側シートより縦幅及び／又は横幅を大きく設定した下側シートとからなり、該上側シートと下側シートは直角方向に交わる２辺の縁を貼着することにより、略Ｌ字状の閉塞部を１側に形成し、対向する側を開放し、前記上側シートの他の２辺のうちの少なくとも1辺から張出す前記下側シートの縁は差込ガイド縁としてあることを特徴とする単票類の収容ホルダー。
【請求項２】
１枚のシート材を二つ折りして上側シートと、該上側シートより大きいサイズの下側シートを形成し、該上側シートと下側シートは折辺に直交する１の辺の縁を貼着することにより、略Ｌ字状の閉塞部を1側に形成し、対向する側を開放し、前記上側シートの他の辺から張出す前記下側シートの縁は差込ガイド縁としてあることを特徴とする単票類の収容ホルダー。
【請求項３】
前記上側シートの外側面は、重要事項を主として表示する重要事項表示部としてあることを特徴とする請求項１又は２記載の単票類の収容ホルダー。
【請求項４】
前記下側シートの外側面は、情報を主として表示する裏面情報表示部としてあることを特徴とする請求項１又は２記載の単票類の収容ホルダー。
【請求項５】
前記上側シート及び／又は下側シートの内面は情報を主として表示する内面情報表示部とし、かつ該上側シート又は下側シートには、前記貼着部のいずれかの内縁に沿って裂開用ミシン目を形成してあることを特徴とする請求項１又は２記載の単票類の収容ホルダー。
【考案の詳細な説明】
【技術分野】
【０００１】
本考案は、例えば電気・ガス・水道等の使用量の検針票、不在時の商品宅配通知票等のように１枚のシートで作成される単票類を収容する単票類の収容ホルダーに関する。
【背景技術】
【０００２】
検針票等は薄い紙製のシートで作成し、シートのみの裸の状態で住宅の郵便受けやドアの隙間に差し込んで届けている。また、電気やガス料金に関する重要なお知らせ、期間サービスの案内等の各種の案内や情報は別刷りのリーフレットの配布によって行っている。
【非特許文献１】電力会社・ガス会社の検針票
【考案の開示】
【考案が解決しようとする課題】
【０００３】
しかし、上述した薄いシートからなる単票をそのまま配布する場合、郵便受けに差込み難いばかりでなく、折れたり、裂けたりし易いし、裸の状態であるために汚れ易い、物陰に落ちて所在不明になり易いといった幾多の欠点がある。また、単票と情報案内のリーフレットは別扱いになっているため、配布忘れをしたり、需要者が重要な情報を見過ごしたりするといった問題がある。しかし、これらの欠点や問題点を解決する手段は今まで提案されていない。
【０００４】
本考案は上述した従来技術の欠点や問題点に鑑みなされたもので、単票が折れたり、裂けたり、汚れたりすることがないし、確実に需要者に届けることができ、しかも重要な情報を含む各種の情報を需要者等に確実に伝えることができる単票類の収容ホルダーを提供することを目的とする。
【課題を解決するための手段】
【０００５】
上述した課題を解決するために構成された請求項１に係る考案は、上側シートと、該上側シートより縦幅及び／又は横幅を大きく設定した下側シートとからなり、該上側シートと下側シートは直角方向に交わる２辺の縁を貼着することにより、略Ｌ字状の閉塞部を１側に形成し、対向する側を開放し、前記上側シートの他の２辺のうちの少なくとも１辺から張出す前記下側シートの縁は差込ガイド縁としたものからなる。
【０００６】
また、請求項２に係る考案は、１枚のシート材を二つ折りして上側シートと、該上側シートより大きいサイズの下側シートを形成し、該上側シートと下側シートは折辺に直交する１の辺の縁を貼着することにより、略Ｌ字状の閉塞部を1側に形成し、対向する側を開放し、前記上側シートの他の辺から張出す前記下側シートの縁は差込ガイド縁としたものからなる。
【０００７】
そして、前記上側シートの外側面は、重要事項を主として表示する重要事項表示部にするとよい。
【０００８】
また、前記下側シートの外側面は、情報を主として表示する裏面情報表示部にするとよい。
【０００９】
更に、前記上側シート及び／又は下側シートの内面は情報を主として表示する内面情報表示部とし、かつ該上側シート又は下側シートには、前記貼着部のいずれかの内縁に沿って裂開用ミシン目を形成するとよい。
【考案の効果】
【００１０】
本考案は上述した如く構成したから、下記の諸効果を奏する。
（１）薄い単票は、上側シートと下側シートの間に差し込むようにしたから、単票類を容易に、かつ確実に収容することができる。また、下側シートには差込ガイド縁を設けてあるから、単票の差込みを極めて容易に、速やかに行うことができる。
（２）薄く強度性が充分でない単票は、上側シートと下側シートに差し込んで保持するから、郵便受けやドアの隙間にも容易に、かつ確実に納めることができる。
（３）上側シートの外側面は、重要事項を主とする重要事項表示部としてあるから、別のリーフレットを配布することによる配布漏れや、手間を省くことができるし、需要者等に単票類と共に重要な情報を確実に伝えることができる。
（４）下側シートの外側面は、情報表示部としてあるから、上記（３）と同様に需要者等に各種の情報を伝えることができる。
（５）上側シート又は下側シートは、裂開用ミシン目から開くことができるから、上側シート及び下側シートの内側面も種々の情報表示部として使用することができる。
【考案を実施するための最良の形態】
【００１１】
以下、本考案の実施の形態を図面に基づき詳述する。図１乃至図３は第１の実施の形態を示す。図において、１は単票類の収容ホルダー、２は該収容ホルダー１を構成し、長辺の縦辺２Ａ、２Ａと短辺の横辺２Ｂ、２Ｂを有する上側シートで、該上側シート２は薄手で腰のある紙を略葉書サイズの長方形に裁断したものからなっている。
【００１２】
３は前記上側シート２に重畳する下側シートで、該下側シート３は上側シート２と同質の紙で形成してあり、縦辺３Ａ、３Ａは上側シート２と同じ長さ寸法に設定してあるが、横辺３Ｂ、３Ｂは上側シート２より若干、例えば１０ｍｍ程度巾広の寸法に設定してある。なお、上側シート２と下側シート３は、硬さの異なる紙質の紙で形成してもよく、こうすることにより、単票類を差し込む際の容易性を高めることができる。
【００１３】
そして、上述した上側シート２と下側シート３は、直角方向に交わる縦辺２Ａと３Ａ、横辺２Ｂと３Ｂに沿ってその縁を帯状に貼着して縦貼着部４及び横貼着部５とすることにより、略Ｌ字状の閉塞部６が１側に形成してあり、対向する側は略Ｌ字状に開放している。
【００１４】
また、上側シート２に対して下側シート３を横方向に幅広に形成することにより、上側シート２の１の縦辺２Ａから横方向に縦長帯状に張出す下側シート３の縁は、単票Ａを上側シート２及び下側シート３の間に差し込む動作を容易に、確実に、速やかに行うための差込ガイド縁７にしてある。
【００１５】
次に、８は上側シート２の外側面２Ｃに印刷などの手段により表した重要事項表示部で、該重要事項表示部８は例えば「必ずお読みください。」、「重要連絡事項」等の標題と、例えば「安全点検のお知らせ」、「ガス工事の日程」等といった相手先である消費者に連絡が必要な重要事項が表してある。そして、重要事項表示部８は全体、或いは標題部分を赤色等の人目の注意を引く色彩で表してもよい。なお、上記重要事項は例示であって、事業者や消費者にとって重要な事項であれば、その内容に制限はない。
【００１６】
また、９は下側シート３の外側面３Ｃに表した裏面情報表示部で、該裏面情報表示部９には、料金表、期間サービスの内容、事業者や取扱い器具の広告等重要事項程は重要でない各種の情報が印刷手段により表してある。
【００１７】
更に、１０、１０は上側シート２の内側面２Ｄ及び／又は下側シート３の内側面３Ｄに印刷手段等によって表した内側情報表示部で、該内側情報表示部１０には、例えば「電気料金の詳細」、「ガス器具の安全な使い方」等、裏面情報表示部９にスペースの制約から表現できない種々の情報を表してある。
【００１８】
１１は横貼着部５の内縁に沿って上側シート２に形成した裂開用ミシン目で、該裂開用ミシン目１１から上側シート２を開くことにより、上述した付加情報表示部１０を見ることができる。
【００１９】
本実施の形態に係る単票類の収容ホルダーは上述の構成からなっており、検針員は検針データが記録された単票を収容ホルダー１に差込んだ状態にすることにより、単票は折り曲がったり、破れたりすることなく便受けやドアの隙間に容易に、また完全に差し込むことができる。そして、単票の配達と併せて企業からの各種情報を収容ホルダー1により確実に伝えることができる。
【００２０】
図４及び図５は、第２の実施の形態に係る単票類の収容ホルダー２１を示す。なお、第１の実施の形態の構成要素と同一の構成要素には同一の符号を付して援用し、その説明を省略する。図において、２２は該収容ホルダー２１を構成するシート材で、該シート材２２は第１の実施の形態と同様の紙質のものを用いており、シート材２２を折辺２３で二つ折りすることにより上側シート２４と、該上側シート２４より横方向の寸法が長い下側シート２５に形成してある。
【００２１】
そして、上側シート２４と下側シート２５は折辺２３に直交する下側の横辺２４Ａ、２５Ａに沿って貼着して貼着部２６にすることにより、折辺２３と貼着部２６によって略Ｌ状の閉塞部２７が1側に形成してあり、対向する側は開放している。また、上側シート２４の縦辺２４Ｂから張出す下側シートの縁は縦長帯状の差込ガイド縁２８としてある。２９は裂開用ミシン目で、該裂開用ミシン目２９は上側シート２４に縦辺２４Ｂから折辺２３にかけて形成してあり、上側シート２４は折辺２３の位置まで開くことができる。
【００２２】
本実施の形態に係る収容ホルダー２１は上述の構成からなり、その使用方法は第１の実施の形態と実質的に同じであるが、1枚のシート材２２により上側シート２４と下側シート２５を形成してあるから、貼着工程が少ない利点があるし、折辺２３の位置を選択設定することにより、差込ガイド縁２７の幅を適宜決めることができる。
【００２３】
なお、第１及び第２の実施の形態では下側シート３、２５の横方向縁を差込ガイド縁７、２８としたが、縦方向の上縁側を差込ガイド縁としてもよいものである。
【図面の簡単な説明】
【００２４】
【図１】図１乃至図３は本考案の第１の実施の形態に係り、図１は単票類の収容ホルダーの外観斜視図である。
【図２】単票類の収容ホルダーの分解斜視図である。
【図３】単票類の収容ホルダーを展開した状態の説明図である。
【図４】図４及び図５は第２の実施の形態に係り、図４は単票類の収容ホルダーの外観斜視図である。
【図５】単票類の収容ホルダーを展開した状態の説明図である。
【符号の説明】
【００２５】
１、２１        単票類の収容ホルダー
２、２４        上側シート
２Ａ、３Ａ      縦辺
２Ｂ、３Ｂ      横辺
２Ｃ、３Ｃ      外側面
３、２５        下側シート
６、２７        閉塞部
７、２８        差込ガイド縁
８              重要事項表示部
９              裏面情報表示部
１０            内面情報表示部
１１、２９      裂開用ミシン目
２３            折辺
【図１】
0003111530.tif 000003
【図２】
0003111530.tif 000004
【図３】
0003111530.tif 000005
【図４】
0003111530.tif 000006
【図５】
0003111530.tif 000007